(57)【特許請求の範囲】
【請求項１】
ソレノイドホデーの内部に吸引コイルと保持コイルとを内蔵し、プランジャの移動によって吸引コイルへの通電をカットするようにしたエンジン停止用ソレノイドにおいて、
ソレノイドボデーの一端に設けられた端壁と、該端壁を貫通して設けられたピンと、該端壁に設けられた固定接点及び板バネ状の可動接点と、からなり、前記端壁に凹穴が設けられ、前記ピンにストッパーが設けられ、該ストッパーはその上下の移動量が規制されるように前記凹穴にはめこまれ、前記プランジャの非動作時には、前記ピンは、前記可動接点及び前記プランジャとそれぞれ離間し、前記プランジャの動作時には、前記プランジャが前記ピンと接触して前記ピンを上動し、前記ピンは、前記可動接点を上動させることにより前記可動接点と前記固定接点との接触を解除してなることを特徴とするエンジン停止用ソレノイド。
【請求項２】
ピンが合成樹脂からなることを特徴とする請求項１記載のエンジン停止用ソレノイド。
【発明の詳細な説明】
【０００１】
【発明の属する技術分野】
本発明はディーゼルエンジンの停止時に燃料をカットして余分な燃料噴射を行わないようにしたソレノイドに関する。
【０００２】
【従来の技術】
ディーゼルエンジンでは、キースイッチを切ってエンジンを停止させようとしても、慣性でエンジンが回転しているため、直ぐにはエンジンの回転が停止しない。このような状態では、エンジン回転に同期して燃料噴射がなされているため、燃料の噴射も直ぐには停止しない。
【０００３】
そこで、ディーゼルエンジンでは、キースイッチを切ってエンジンを停止させた時に、コントロールラックを燃料の無噴射位置に移動させるための手段である燃料遮断装置を装着している。
【０００４】
従来公知の燃料遮断装置はソレノイドからなっており、該ソレノイドはコントロールラックを作動させる吸引コイルと該吸引状態を維持させる保持コイルとからなっている。そして、これらの吸引コイルと保持コイルの両者でプランジャを作動、保持させ、コントロールラックの位置を制御している。このソレノイドは、通常、エンジンのキースイッチによって通電、通電カットがなされている。
【０００５】
ところが、従来公知の燃料遮断装置に使用されているソレノイドは、エンジンの始動用のセルモーターを回転させている時には吸引コイルと保持コイルの両者に通電している。
通常の始動状態ではセルモーターの回転は１ないし３秒程度であるから問題はないが、寒冷地では始動時にセルモーターを相当長時間回転させる場合があり、そのような時には吸引コイルの発熱によってソレノイドに焼き付きが起こる場合がある。
【０００６】
その理由は、吸引コイルはコントロールラックを作動させるものであるから大電流を流す必要があり、保持コイルはフランジャの位置を維持させるためだけのものであるから比較的少電流で良い。
このため、大電流を流す吸引コイルに長時間電流を流すと、発熱してソレノイドに焼き付きが生ずるものとなる。
【０００７】
この欠点を改善するものとして、電気回路内にタイマーとリレーを設け、所定時間経過後に吸引コイルへ流れる電流をカットするようにした燃料遮断装置が一般に使用されている。
ところが、公知の電流カット装置はタイマーとリレーを設ける必要があるため、コスト高となってしまう。
【０００８】
また、プランジャの作動完了の如何に拘らず吸引コイルへの通電がカットされるため、なんらかの理由でプランジャの作動完了前に通電がカットされて始動不可能となってしまうおそれもあった。
よって、プランジャの作動完了を確実に検知して吸引コイルへの通電をカットする機構を低コストで得ることが要求されている。
【０００９】
一方、第１のコイルと第２のコイルを内蔵したソレノイドにおいて、プランジャの移動端に可動スイッチを有する軸を設けて置き、プランジャの作動によって該軸を移動させ、該軸に設けられたスイッチを切って第１のコイルへの通電をカットするようにしたソレノイドも公知である。（特開昭５６ー１１０２０７号公報参照）
【００１０】
これを以下図４及び図５でもって説明する。
図４及び図５を参照して、ソレノイド１には第１のコイル２と第２のコイル３とが内蔵されている。
プランジャ４の移動端には軸５が摺動自在に設けられており、該軸５には可動接点６が設けられている。プランジャ４の移動前の状態では押圧スプリング７によって可動接点６は固定接点８と接触している。
【００１１】
今、第１のコイル２及び第２のコイル３に通電すると、プランジャ４が移動し、該プランジャ４の端部によって軸５が移動される。すると、可動接点６が固定接点から離れて第１のコイル２への通電をカットする。このため、プランジャ４は第２のコイル３によって移動端に維持される。
【００１２】
【発明が解決しようとする課題】
ところが、上記図４及び図５に示すような従来公知のソレノイド１は、次のような問題点があった。
すなわち、軸５に可動接点６を設けているため、これを固定接点８に押しつけるための押圧スプリング７を別個に設置しなければならない。このため、部品点数が多くなり、高コストとなってしまう。
また、可動接点６を軸５に固定するための固定手段を必要とするため、構造的に複雑となり、重量が重くなってしまう。
軸５及び可動接点６の重量が重いということは、これを作動させるためにプランジャ４が衝突した時の衝撃が大きくなるので、損傷が発生するおそれが大きくなる上、衝撃音が騒音源となってしまう。
又、慣性力によって軸５および可動接点６が設定位置よりも更に移動することにより可動接点を押し付けるためのスプリング９を破損する場合がある。
【００１３】
そこで、本発明の目的は、上記従来公知のソレノイド構造の持つ欠点を改善し、損傷発生のおそれがなく、衝撃に基づく騒音の発生も少なく、かつ構造が簡単であり、低コストのソレノイドを提供せんとするにある。
【００１４】
【課題を解決するための手段】
本発明の特徴とするところは次の構成にある。ソレノイドホデーの内部に吸引コイルと保持コイルとを内蔵し、プランジャの移動によって吸引コイルへの通電をカットするようにしたエンジン停止用ソレノイドにおいて、
ソレノイドボデーの一端に設けられた端壁と、該端壁を貫通して設けられたピンと、該端壁に設けられた固定接点及び板バネ状の可動接点と、からなり、前記端壁に凹穴が設けられ、前記ピンにストッパーが設けられ、該ストッパーはその上下の移動量が規制されるように前記凹穴にはめこまれ、前記プランジャの非動作時には、前記ピンは、前記可動接点及び前記プランジャとそれぞれ離間し、前記プランジャの動作時には、前記プランジャが前記ピンと接触して前記ピンを上動し、前記ピンは、前記可動接点を上動させることにより前記可動接点と前記固定接点との接触を解除してなること。なお、「上」、「下」は、図１および図３の方向から見た場合の上、下の意味として用いる。
【００１５】
【発明の実施の形態】
以下、図１ないし図３を参照して、本発明の好ましい実施例構造について説明する。
ソレノイドボデー１１の内部には吸引コイル１２及び保持コイル１３が内臓されている。ここで、吸引コイル１２と保持コイル１３とは一体構造となっているので、一体的なコイルとして図示している。コイルの内側にはシリンダー部１４が設けられ、該シリンダー部１４内を摺動するプランジャ１５が設けられている。プランジャ１５の一端部は細い軸部１５Ａとなっており、該軸部１５Ａはソレノイドボデー１１の外側に突出しており、図示しないディーゼルエンジンのコントロールラックを移動させる。
【００１６】
ソレノイドボデー１１の端部を閉塞するため端壁１６が設けられており、該端壁１６とプランジャ１５との間には、該プランジャ１６を一端部側に押圧付勢するスプリング１７が設けられている。
端壁１６には可動接点１８と固定接点１９が設けられている。可動接点１８は板バネからなっており、その端部に接点１８Ａが形成されている。端壁１６を貫通してピン２０が摺動自在に設けられており、該ピン２０はプランジャ１５の移動によって可動接点１８と接触し、可動接点１８と固定接点１９との接触を解除するようになっている。
ソレノイドボデー１１の端部にはカバー２１が被せられている。
【００１７】
ピン２０にはストッパー部２０Ａが形成されており、該ストッパー部２０Ａは端壁１６に設けられた凹穴１６Ａに嵌め込まれている。また、プランジャ１５の軸部１５Ａとソレノイドボデー１１との間をシールするため、オイルシール２２が設けられている。
【００１８】
以上のように構成された本発明のソレノイドについて、以下その作用を説明する。
コイルに通電される前の状態は図１に示す状態であり、今、吸引コイル１２及び保持コイル１３に通電されると、プランジャ１５が移動して図１の上方へ摺動する。そして、プランジャ１５の端部がピン２０に当たると、図３の状態となり、ピン２０の上端が可動接点１８を持ち上げ、可動接点１８と固定接点１９との接続を解除する。その結果、吸引コイル１２への通電がカットされ、プランジャ１５は保持コイル１３のみによって維持されるものとなる。
【００１９】
上記動作において、プランジャ１５によって作動されるのはピン２０と板バネ状の可動接点１８だけであるから、慣性力も小さく、かつ接触時の騒音も発生しない。
【００２０】
以上の構成において、ピン２０を合成樹脂等に軽量材料を使用すると、プランジャ１５による作動慣性重量が更に低減するので、衝突に基づく損傷や騒音が一層低減されるものとなる。
【００２１】
【発明の効果】
以上のように構成され、作用する本発明によると、以下に示すような効果を奏する。
プランジャによって作動されるものが、ピンと板バネ状の可動接点だけであるから、慣性重量が軽く、同重量が軽いということは、これを作動させるためにプランジャが衝突した時の衝撃が小さくなるので、損傷が発生しにくい上、衝撃に基づく騒音が低減される。
従来公知の軸に可動接点を設ける構造と比べて、部品点数が少なくなり、低コストとなる。
また、ピンと板バネ状の可動接点だけであるから、構造的に簡単となり、装置全体の軽量化が得られる。
【図面の簡単な説明】
【図１】図１は、本発明の一実施例を示すエンジン停止用ソレノイドの断面図である。
【図２】図２は、図１のソレノイド弁の可動接点と固定接点を示す平面図である。
【図３】図３は、本発明の作用を説明するための部分断面図である。
【図４】図４は、従来公知のソレノイドを説明するための部分断面図である。
【図５】図５は、図４の軸及び可動接点を示す断面図である。
【符号の説明】
１１  ソレノイドボデー
１２  吸引コイル
１３  保持コイル
１４  シリンダー部
１５  プランジャ
１５Ａ  軸部
１６  端壁
１６Ａ  凹穴
１７  スプリング
１８  可動接点
１８Ａ  接点
１９  固定接点
２０  ピン
２０Ａ  ストッパー部
２１  カバー
【図１】
0003919254.tif 000002
【図２】
0003919254.tif 000003
【図３】
0003919254.tif 000004
【図４】
0003919254.tif 000005
【図５】
0003919254.tif 000006